(57)【特許請求の範囲】
【請求項１】
養鶏ケージユニットの給餌システムにおける、移動するホッパノズル、ブラシスクレーパ、ワイヤスクレーパを一体として構成した餌ならし装置において、上記ブラシスクレーパ及びワイヤスクレーパを、ホッパノズルに取り付けた状態で、ワンタッチでスイングアップ可能に構成したことを特徴とする跳ね上げ式餌ならし装置。
【請求項２】
ブラシスクレーパ及びワイヤスクレーパをホッパノズルの移動方向に並設してフレームにばねに抗して９０゜ 回動可能に取付け、該フレームをホッパノズルに固定して取付けたことを特徴とする請求項１記載の跳ね上げ式餌ならし装置。
【請求項３】
ブラシスクレーパは餌受け樋の中央部に位置し、ワイヤスクレーパの先端部は餌受け樋の傾斜した側面に当接するように折り曲げて形成されたことを特徴とする請求項１又は２記載の跳ね上げ式餌ならし装置。
【発明の詳細な説明】
【０００１】
【発明の属する技術分野】
本発明は、養鶏ケージユニットにおける給餌システムに関し、特に移動するホッパノズル、ブラシスクレーパ及びワイヤスクレーパを一体として構成した餌ならし装置に関する。
【０００２】
【従来の技術】
従来、養鶏ユニットにおいて各ケージの通路（表側）に長手方向に配設された餌受け樋内にホッパノズルａから出て来る餌をブラシｂで均し、樋の底面にこびりつきがちになる餌をワイヤｃで除去していた（図６参照）。
【０００３】
採卵鶏のヒヨコを産卵開始まで約５ヶ月かかる育成期間、並びに産卵開始時及び強制換羽（産卵を約１年続けた後、一定期間断餌をし、低下を始めた産卵率を再向上させる飼育技術）のときは、鶏の羽根が生え変わり、羽根や羽毛が上記樋の中に入り易い。
【０００４】
【発明が解決しようとする課題】
上記のような従来の装置では、樋の中に入った羽根や羽毛が上記のブラシやワイヤにからみつき、ホッパノズルからの円滑な餌の流れを阻害し、或いは樋の中に入っている餌を掃いて行ってしまうという問題点があった。
【０００５】
本発明は、上記した若めす導入時や強制換羽時期に、ブラシ及びワイヤを跳ね上げる機構を備え、これらを簡単にスイングアップできる構造とすることを課題としている。
【０００６】
【課題を解決するための手段】
上記の課題を解決するために、本発明の採った手段は、養鶏ケージユニットの給餌システムにおける、移動するホッパノズル、ブラシスクレーパ、ワイヤスクレーパを一体として構成した餌ならし装置において、上記ブラシスクレーパ及びワイヤスクレーパを、ホッパノズルに取り付けた状態で、ワンタッチでスイングアップ可能に構成したことを特徴としている。
【０００７】
また、上記ブラシスクレーパ及びワイヤスクレーパをホッパノズルの移動方向に並設してフレームにばねに抗して９０゜ 回動可能に取付け、該フレームをホッパノズルに固定して取付けたことを特徴としている。
【０００８】
また、上記ブラシスクレーパは餌受け樋の中央部に位置し、ワイヤスクレーパの先端部は餌受け樋の傾斜した側面に当接するように折り曲げて形成されたことを特徴としている。
【０００９】
【発明の実施の形態】
次ぎに、本発明の実施の形態を図面に記載した実施例を用いて説明する。
図１は本発明の跳ね上げ式餌ならし装置の要部斜視図、図２は図１の正面図、図３は図２の裏面図、図４はブラシ側からみた側面図、図５はワイヤ部の側面図である。
【００１０】
図１において、１はブラシスクレーパ部を示し、該ブラシスクレーパ部１は、弾力性を有する多数の細い樹脂製の棒状体を束ねたブラシを基体１ａの下面に２個ずつ計４個植設されており、上記ブラシスクレーパ部１の前方に、先端部が餌受け樋の傾斜した側面に当接するように折り曲げて形成されたワイヤスクレーパ２が進行方向に間隔をおいて並設されている。
これらのブラシスクレーパ１とワイヤスクレーパ２は、図２に示すように、フレーム３に対して、ばね４に抗して回動できる基板５に固定されている。
上記フレーム３と基板５とは、基板５に植設されたボルト６の頭部とフレーム３との間にボルト６に巻回されたばね４に抗して９０゜ 回動できるようにされており、そのために、フレーム３には４個の穴３ａが設けられており、該穴３ａに嵌合する２個の突起５ａが基板５に設けられている。
そして上記フレーム３は、図示しない、餌樋上を往復動するホッパノズルの進行方向の前後部に、それぞれ穴３ｂを介して固定されている。
従って、ホッパノズルの前後部にフレーム３を介して取り付けられたワイヤスクレーパの折り曲げ部は、餌受け樋の傾斜した両側面及び底面をこするように当接している。
【００１１】
次ぎに、作用について説明すると、当該装置を跳ね上げない通常時には、ブラシスクレーパ１とワイヤスクレーパ２を固定した前記基板５に設けられた左右２個の突起５ａが、フレーム３に穿設された上下左右４個の穴３ａの中の左右２個の穴３ａに嵌合されており、この状態は、基板５に植設されたボルト６の回りのばね４で押圧されて、その状態を保持している。この時、樋の餌はブラシスクレーパ１によって均らされ、樋の傾斜した両側面及び底面は、ホッパノズルの前後部にそれぞれ取り付けられたワイヤスクレーパ２の折り曲げ部によって清掃される。次ぎに、前記採卵鶏のヒヨコが産卵開始までの約５ヶ月の育成期中、並びに産卵開始時及び強制換羽のときには、ホッパノズルに取付けた状態で、当該装置のブラシスクレーパ１とワイヤスクレーパ２の取付部を持ってばね４に抗してワンタッチで両スクレーパ１、２をスナップアクションのように手前側に９０゜ 回動して跳ね上げる。この状態では、基板５に植設された２個の突起５ａは、フレーム３に設けられた上下の穴３ａに嵌合して、再びばね４によって押圧されこの状態が保持されている。そして、この時、餌樋上を往復動するホッパノズルからは餌が任意に餌樋に流出されている。
【００１２】
なお、上記後者の場合、ホッパノズルの進行方向前方の両スクレーパ１，２は跳ね上げず、ホッパノズルの進行方向後方の両スクレーパ１，２のみを跳ね上げることにより、樋の中に入った羽根や羽毛がブラシやワイヤに好ましくない状態でからみつくのを防ぐことも可能である。
【００１３】
【発明の効果】
以上説明したように、本発明によれば、養鶏ケージユニットの給餌システムにおける、移動するホッパノズル、ブラシスクレーパ、ワイヤスクレーパを一体として構成した餌ならし装置において、上記ブラシスクレーパ及びワイヤスクレーパを、ホッパノズルに取り付けた状態で、ワンタッチでスイングアップ可能に構成したことにより、若めす導入時や強制換羽時等にはプラシスクレーパ及びワイヤスクレーパは一体となって、ワンタッチで上方にスイングアップさせることができる。従って、従来のように餌ならしの高さ調整をブラシの高さ調整等によって行っていたものに比べ、操作が非常に容易になる。
【００１４】
また、ブラシスクレーパ及びワイヤスクレーパをホッパノズルの移動方向に並設してフレームにばねに抗して９０゜ 回動可能に取付け、該フレームをホッパノズルに固定して取付けたことにより、跳ね上げ時、ブラシスクレーパ及びワイヤスクレーパはばねに抗して９０゜ 回動して上方にワンタッチスイングアップさせることができる。
【図面の簡単な説明】
【図１】本発明の跳ね上げ式餌ならし装置要部の斜視図である。
【図２】図１の正面図である。
【図３】図２の裏面図である。
【図４】ブラシ側からみた側面図である。
【図５】ワイヤ部の側面図である。
【図６】従来例の斜視図である。
【符号の説明】
１  ブラシスクレーパ
1a  基体
２  ワイヤスクレーパ
３  フレーム
3a  穴
3b  取付用穴
４  ばね
５  基板
5a  突起
６  ボルト
【図１】
0003679997.tif 000002
【図２】
0003679997.tif 000003
【図３】
0003679997.tif 000004
【図４】
0003679997.tif 000005
【図５】
0003679997.tif 000006
【図６】
0003679997.tif 000007